(57)【要約】  走行モードが選択されたら、締結側油室にＯＮ圧を供給してロック機構をロック状態にし、その後締結側油室の油圧を下げる締結制御を行い、非走行モードが選択されたら、解放側油室にＯＦＦ圧を供給してロック機構をアンロック状態にし、その後解放側油室の油圧を下げる解放制御を行う制御装置は、駆動力源の動作の停止を通知したときに解放側油室にＯＦＦ圧を供給し、その後、ロック機構がアンロック状態となったときに、駆動力源の動作の停止を許可する。
2014050802.tif 000002
【特許請求の範囲】
【請求項１】
駆動力源の回転を変速して出力する自動変速機であって、
動力伝達経路に配置され、ＯＮ圧を締結側油室に供給すると締結状態になると共にロック機構がロック状態になり、前記ロック機構がロック状態になると前記締結側油室の油圧を下げても締結状態を維持し、前記ロック機構がロック状態の時に解放側油室にＯＦＦ圧を供給すると解放状態になると共に前記ロック機構がアンロック状態になり、前記ロック機構がアンロック状態になると前記解放側油室の油圧を下げても解放状態を維持する摩擦要素と、
変速機のモードとして走行モード又は非走行モードを選択することのできるセレクトスイッチと、
前記セレクトスイッチによって前記走行モードが選択されたら、前記締結側油室に前記ＯＮ圧を供給して前記ロック機構をロック状態にし、その後前記締結側油室の油圧を下げる締結制御を行い、前記セレクトスイッチによって前記非走行モードが選択されたら、前記解放側油室に前記ＯＦＦ圧を供給して前記ロック機構をアンロック状態にし、その後解放側油室の油圧を下げる解放制御を行う制御装置と、
前記駆動力源の動作を停止させるアイドルストップ制御部と、
を備え、
前記制御装置は、
前記アイドルストップ制御部が前記駆動力源の動作の停止を通知したときに、前記解放側油室にＯＦＦ圧を供給し、
前記ロック機構がアンロック状態となったときに、前記アイドルストップ制御部に前記駆動力源の動作の停止を許可する
自動変速機。
【請求項２】
請求項１に記載の自動変速機であって、
前記制御装置は、前記解放側油室にＯＦＦ圧の供給を開始した後、前記解放側油室の実油圧の変化に基づいて、前記ロック機構がアンロック状態となったことを検出する
自動変速機。
【請求項３】
駆動力源の回転を変速して出力する自動変速機の制御方法であって、
動力伝達経路に配置され、ＯＮ圧を締結側油室に供給すると締結状態になると共にロック機構がロック状態になり、前記ロック機構がロック状態になると前記締結側油室の油圧を下げても締結状態を維持し、前記ロック機構がロック状態の時に解放側油室にＯＦＦ圧を供給すると解放状態になると共に前記ロック機構がアンロック状態になり、前記ロック機構がアンロック状態になると前記解放側油室の油圧を下げても解放状態を維持する摩擦要素と、
変速機のモードとして走行モード又は非走行モードを選択することのできるセレクトスイッチと、
前記駆動力源の動作を停止させるアイドルストップ制御部と、が備えられ、
前記セレクトスイッチによって前記走行モードが選択されたら、前記締結側油室に前記ＯＮ圧を供給して前記ロック機構をロック状態にし、その後前記締結側油室の油圧を下げる締結制御を行い、
前記セレクトスイッチによって前記非走行モードが選択されたら、前記解放側油室に前記ＯＦＦ圧を供給して前記ロック機構をアンロック状態にし、その後解放側油室の油圧を下げる解放制御を行い、
アイドルストップ制御部が前記駆動力源の動作の停止を通知したときに、前記解放側油室にＯＦＦ圧を供給し、
前記ロック機構がアンロック状態となったときに、前記アイドルストップ制御部に前記駆動力源の動作の停止を許可する
自動変速機の制御方法。
【発明の詳細な説明】
【技術分野】
【０００１】
本発明は、ロック機構付き摩擦要素を備えた自動変速機の制御に関する。
【背景技術】
【０００２】
自動変速機のクラッチ・ブレーキとして、同軸に配置される２つの部材（クラッチの場合は双方が回転要素、ブレーキの場合は一方が回転要素で他方が非回転要素）を連結するために、油圧によって動作する摩擦要素が用いられている。【０００３】
かかる摩擦要素においては、ＪＰ０７−１２２２１Ａには、複数の摩擦プレートが２つの部材それぞれに軸方向に摺動自在に取り付けられ、かつ、２つの部材の摩擦プレートが交互に配置される。油圧ピストンによって２つの部材の摩擦プレートを互いに押し付けると、２つの部材が摩擦プレートを介して連結される。
【発明の概要】
【０００４】
ＪＰ０７−１２２２１Ａに記載の摩擦要素においては、締結状態を維持するには、油圧ピストンに油圧を常時作用させる必要があり、そのためには油圧ポンプを常時動作させる必要があり、自動変速機を搭載した車両の燃費が悪化するという問題がある。
【０００５】
そこで、摩擦要素が締結するまでは油圧を供給するが、摩擦要素が締結した後はロック機構によって油圧ピストンの動きを規制し、油圧を下げても摩擦要素が締結状態を維持でき、また、摩擦要素を解放する油圧を供給することでロック機構を解除し、油圧を下げても摩擦要素の解放状態を維持するように構成することが考えられる。当該構成によれば、油圧ピストンに油圧を供給し続ける必要がなくなり、油圧ポンプの負荷を低減させることができる分、車両の燃費を向上させることができる。しかしながらこのような構成の摩擦要素では、停車時にエンジンを停止するアイドルストップ制御を行うと、エンジンの駆動により動作する油圧ポンプから油圧が供給できないため、摩擦要素の締結及び解放制御が難しくなるという問題がある。
【０００６】
本発明はこのような問題点に鑑みてなされたものであり、ロック機構付き摩擦要素を備えた自動変速機にも支障なくアイドルストップ制御を適用可能とすることを目的とする。
【０００７】
本発明の一の実施態様によると、駆動力源の回転を変速して出力する自動変速機であって、動力伝達経路に配置され、ＯＮ圧を締結側油室に供給すると締結状態になると共にロック機構がロック状態になり、ロック機構がロック状態になると締結側油室の油圧を下げても締結状態を維持し、ロック機構がロック状態の時に解放側油室にＯＦＦ圧を供給すると解放状態になると共にロック機構がアンロック状態になり、ロック機構がアンロック状態になると解放側油室の油圧を下げても解放状態を維持する摩擦要素と、変速機のモードとして走行モード又は非走行モードを選択することのできるセレクトスイッチと、セレクトスイッチによって走行モードが選択されたら、締結側油室にＯＮ圧を供給してロック機構をロック状態にし、その後締結側油室の油圧を下げる締結制御を行い、セレクトスイッチによって非走行モードが選択されたら、解放側油室にＯＦＦ圧を供給してロック機構をアンロック状態にし、その後解放側油室の油圧を下げる解放制御を行う制御装置と、駆動力源の動作を停止させるアイドルストップ制御部と、を備えるものに適用される。この制御装置は、アイドルストップ制御部が駆動力源の動作の停止を通知したときに、解放側油室にＯＦＦ圧を供給し、ロック機構がアンロック状態となったときに、アイドルストップ制御部に駆動力源の動作の停止を許可することを特徴とする。
【０００８】
本発明の別の実施態様によると、駆動力源の回転を変速して出力する自動変速機の制御方法であって、動力伝達経路に配置され、ＯＮ圧を締結側油室に供給すると締結状態になると共にロック機構がロック状態になり、ロック機構がロック状態になると締結側油室の油圧を下げても締結状態を維持し、ロック機構がロック状態の時に解放側油室にＯＦＦ圧を供給すると解放状態になると共にロック機構がアンロック状態になり、ロック機構がアンロック状態になると解放側油室の油圧を下げても解放状態を維持する摩擦要素と、変速機のモードとして走行モード又は非走行モードを選択することのできるセレクトスイッチと、駆動力源の動作を停止させるアイドルストップ制御部と、が備えられるものにおいて、セレクトスイッチによって走行モードが選択されたら、締結側油室にＯＮ圧を供給してロック機構をロック状態にし、その後締結側油室の油圧を下げる締結制御を行い、セレクトスイッチによって非走行モードが選択されたら、解放側油室にＯＦＦ圧を供給してロック機構をアンロック状態にし、その後解放側油室の油圧を下げる解放制御を行い、アイドルストップ制御部が駆動力源の動作の停止を通知したときに、解放側油室にＯＦＦ圧を供給し、ロック機構がアンロック状態となったときに、アイドルストップ制御部に駆動力源の動作の停止を許可することを特徴とする。
【０００９】
上記実施態様によると、ＯＮ圧を供給することにより締結状態でロック機構ＢＬをロック状態としたままＯＮ圧を抜くことによってもロック状態を維持し、ＯＦＦ圧を供給することによりロック機構ＢＬをアンロック状態とすることで、油圧を常時作用させることなく締結状態を維持できる。そして、アイドルストップの実行が通知されたときに解放側油室にＯＦＦ圧を供給し、ロック機構がアンロック状態となったときに駆動力源の停止を許可することにより、駆動力源の停止に先立って摩擦要素を解放状態にすることができるので、駆動力源の停止により油圧が供給できず解放状態への制御ができなくなることを防止できる。
【図面の簡単な説明】
【００１０】
【図１】図１は、本発明の実施形態の自動変速機を備えた車両の概略構成図である。
【図２】図２は、本発明の実施形態のフォワードクラッチ及びこれを動作させるクラッチ動作パックの断面図である。
【図３】図３は、本発明の実施形態の変速機コントローラが実行するアイドルストップ制御のフローチャートである。
【図４】図４は、本発明の実施形態のアイドルストップ制御のタイムチャートである。
【発明を実施するための形態】
【００１１】
以下、添付図面を参照しながら本発明の実施形態について説明する。
【００１２】
図１は、本発明の実施形態に係る自動変速機を備えた車両の概略構成を示す。車両は、エンジン１、トルクコンバータ２、変速機３を備える。エンジン１の出力回転は、トルクコンバータ２、変速機３、図示しないデファレンシャルギヤユニットを介して図示しない駆動輪へと伝達される。
【００１３】
変速機３は、有段又は無段の自動変速機である。変速機３は、リバースブレーキ４と、フォワードクラッチ５とを備える。変速機３は、リバースブレーキ４が締結されている状態ではエンジン１の回転を反転して出力し、フォワードクラッチ５が締結されている状態ではエンジン１の回転を回転方向を維持したまま出力する。
【００１４】
リバースブレーキ４は、締結圧を供給することで締結し、締結状態を維持するには締結圧を供給し続ける必要のある従来の摩擦要素である。リバースブレーキ４を解放するには締結圧の供給を停止すればよい。
【００１５】
フォワードクラッチ５は、後述するように、ロック機構ＢＬを備えた摩擦要素である。フォワードクラッチ５にＯＮ圧を供給し、ロック機構ＢＬがロック状態になれば、ＯＮ圧の供給を停止してもフォワードクラッチ５は締結状態を維持することができる。フォワードクラッチ５を解放するには、フォワードクラッチ５にＯＦＦ圧を供給し、ロック機構ＢＬを解除状態にすればよく、一旦ロック機構ＢＬが解除状態になればＯＦＦ圧の供給を停止してもフォワードクラッチ５は解放状態を維持することができる。フォワードクラッチ５の構成については後で詳しく説明する。
【００１６】
リバースブレーキ４及びフォワードクラッチ５は、両者が同時に締結されると変速機３は出力軸が回転不能な、いわゆるインターロック状態になるので、これらの締結は択一的に行われる。
【００１７】
油圧制御回路７は、エンジン１によって駆動される油圧ポンプ８からの油圧をライン圧に調圧するレギュレータバルブと、ライン圧を元圧としてフォワードクラッチ５を含む摩擦要素（変速機３が無段変速機の場合は加えて無段変速機構の構成要素）に供給する油圧を調圧するソレノイドバルブと、油圧ポンプ８、各バルブ及び各摩擦要素の間を接続する油路を備える。
【００１８】
油圧制御回路７の各バルブは、変速機コントローラ９からの制御信号に基づき制御される。変速機コントローラ９は、ＣＰＵ、ＲＯＭ、ＲＡＭ、入出力インターフェース等で構成され、各種センサ及びエンジンコントローラから入力される各種信号に基づき車両の走行状態を判断し、走行状態に適した変速段（変速機３が無段変速機の場合は変速比）が実現されるよう、油圧制御回路７に指令を出力する。油圧制御回路７は、フォワードクラッチ５、リバースブレーキ４それぞれの締結状態を制御するための油圧を供給する。供給される実油圧は実油圧センサ７１により検出され目標油圧（例えば後述するＯＮ圧及びＯＦＦ圧）とでフィードバック制御等により実油圧が目標油圧となるように変速機コントローラ９により制御される。
【００１９】
変速機コントローラ９には、エンジン１の回転速度Ｎｅを検出する回転速度センサ１０１、トルクコンバータ２のタービン回転速度Ｎｔ（変速機３の入力回転速度）を検出する回転速度センサ１０２、変速機３の油温ＴＭＰを検出する油温センサ１０３、セレクトレバー１１の位置を検出するインヒビタスイッチ１０４、アクセルペダルの操作量（以下、「アクセル開度ＡＰＯ」という。）を検出するアクセル開度センサ１０５、ブレーキのＯＮ／ＯＦＦを検出するブレーキスイッチ１０６等からの信号等が入力される。
【００２０】
セレクトレバー１１は、パーキングレンジ（以下、「Ｐレンジ」という。）、リバースレンジ（以下、「Ｒレンジ」という。）、ニュートラルレンジ（以下、「Ｎレンジ」という。）及びドライブレンジ（以下、「Ｄレンジ」という。）の間を接続するゲートに配置され、各ゲート間を移動可能に構成される。
【００２１】
変速機コントローラ９は、セレクトレバー１１の位置に応じて、フォワードクラッチ５及びリバースブレーキ４をそれぞれ締結または解放する。具体的には、Ｄレンジでは、フォワードクラッチ５が締結され、リバースブレーキ４が解放される。Ｒレンジでは、フォワードクラッチ５が解放され、リバースブレーキ４が締結される。Ｐレンジ及びＮレンジでは、フォワードクラッチ５及びリバースブレーキ４が解放される。
【００２２】
エンジン１にはエンジンコントローラ１２が接続される。エンジンコントローラ１２は、アクセル開度ＡＰＯを取得して加速要求に基づく目標回転速度ｔＮｅを決定し、決定した目標回転速度ｔＮｅに実際のエンジン回転速度Ｎｅが追従するようにエンジン１の燃料噴射量やバルブタイミングを制御する。また、エンジンコントローラ１２は、後述するように停車時にエンジン１の駆動を停止するアイドルストップ制御を実行する。
【００２３】
次に、フォワードクラッチ５の詳細な構成について説明する。
【００２４】
図２は、本発明の実施形態のフォワードクラッチ５、及び、これを動作させるクラッチ動作パック６の断面を示している。以下、各構成について説明する。
【００２５】
フォワードクラッチ５は、クラッチドラム５１と、クラッチハブ５２と、ドリブンプレート５３と、ドライブプレート５４と、リテーナプレート５５とを備える。
【００２６】
クラッチドラム５１及びクラッチハブ５２は同軸に配置される。クラッチドラム５１には、図示しない回転要素（軸、ギヤ等）が連結される。クラッチハブ５２には、図示しない別の回転要素（軸、ギヤ等）が連結される。
【００２７】
クラッチドラム５１には、スプライン結合によって軸方向に摺動自在にドリブンプレート５３が取り付けられる。クラッチハブ５２には、スプライン結合によって軸方向に摺動自在にドライブプレート５４が取り付けられる。４枚のドリブンプレート５３と４枚のドライブプレート５４は、交互に配置され、ドライブプレート５４の両側の摩擦面には、クラッチフェーシングが貼り付けられる。
【００２８】
クラッチドラム５１は、ドリブンプレート５３及びドライブプレート５４を介して、クラッチドラム５１に連結された回転要素から入力される回転をクラッチハブ５２に伝達する。
【００２９】
リテーナプレート５５は、油圧ピストン６１とは反対側の端部に配置されたドライブプレート５４と、クラッチドラム５１内周の溝に固定されたスナップリング６４との間に介装される。リテーナプレート５５は片面が摩擦面である。また、リテーナプレート５５は、軸方向の厚みがドリブンプレート５３より厚く、ドリブンプレート５３及びドライブプレート５４の倒れを防止する。
【００３０】
クラッチ動作パック６は、油圧ピストン６１と、ＯＮ圧ピストン室６２と、ＯＦＦ圧ピストン室６３と、スナップリング６４と、ダイヤフラムスプリング６５と、仕切りプレート６６と、ロック機構ＢＬとを備える。
【００３１】
油圧ピストン６１は、フォワードクラッチ５に対して軸方向に変位可能に配置される。油圧ピストン６１の一方の面がＯＮ圧受圧面６１ａであり、他方の面がＯＦＦ圧受圧面６１ｂである。
【００３２】
ＯＮ圧ピストン室６２は、油圧ピストン６１のＯＮ圧受圧面６１ａにＯＮ圧を作用させるために、クラッチドラム５１と油圧ピストン６１との間に画成される。
【００３３】
ＯＦＦ圧ピストン室６３は、油圧ピストン６１のＯＦＦ圧受圧面６１ｂにＯＦＦ圧を作用させるために、クラッチドラム５１に固定された仕切りプレート６６と、油圧ピストン６１との間に画成される。
【００３４】
スナップリング６４は、フォワードクラッチ５を挟んで油圧ピストン６１の反対側の位置に配置され、フォワードクラッチ５を軸方向に支持する。
【００３５】
ダイヤフラムスプリング６５は、油圧ピストン６１のクラッチ側端面６１ｃとフォワードクラッチ５のピストン側端面５ａとの間に介装される。ダイヤフラムスプリング６５は、軸方向に２枚重ねで配置され、油圧ピストン６１をスナップリング６４に向かう締結方向に移動させると、フォワードクラッチ５に締結力を作用させる。
【００３６】
ロック機構ＢＬは、クラッチドラム５１に内蔵されていて、油圧ピストン６１と、ボール保持ピストン６７と、ボール６８とで構成される。
【００３７】
油圧ピストン６１は、フォワードクラッチ５に対して軸方向に変位可能に配置される。油圧ピストン６１には、収納部６１ｄと、テーパー面６１ｅとが設けられる。収納部６１ｄは、油圧ピストン６１の解放方向への移動を規制するときにボール６８を収納する。テーパー面６１ｅは、収納部６１ｄに連続して形成され、油圧ピストン６１が解放方向にストロークすると、ボール６８を内側に押し込む。
【００３８】
ボール保持ピストン６７は、油圧ピストン６１を覆うクラッチドラム５１の内周円筒部５１ａと、クラッチドラム５１から軸方向に突出する仕切り円筒壁部５１ｂとによって画成される円筒空間に配置される。ボール保持ピストン６７は、ＯＮ圧またはＯＦＦ圧が作用すると軸方向に移動する。ボール保持ピストン６７の外周面と仕切り円筒壁部５１ｂとの間はシールリング８４によってシールされ、ボール保持ピストン６７の内周面と内周円筒部５１ａとの間はシールリング８５によってシールされ、油圧ピストン６１の内周面と仕切り円筒壁部５１ｂとの間はシールリング８６によってシールされる。これにより、油圧ピストン６１の両側にＯＮ圧ピストン室６２とＯＦＦ圧ピストン室６３とが画成される。
【００３９】
クラッチドラム５１に開口されたＯＮ圧ポート５１ｄとＯＮ圧ピストン室６２とは、ボール保持ピストン６７に形成されたＯＮ圧連通溝６７ａと、仕切り円筒壁部５１ｂに開口されたＯＮ圧連通穴５１ｅとを介して連通される。クラッチドラム５１に開口されたＯＦＦ圧ポート５１ｆとＯＦＦ圧ピストン室６３とは、ボール保持ピストン６７に形成されたＯＦＦ圧連通溝６７ｂと、仕切り円筒壁部５１ｂの端部と仕切りプレート６６との間に確保されたＯＦＦ圧連通隙間とを介して連通される。
【００４０】
ボール保持ピストン６７には、収納部６７ｃと、テーパー面６７ｄと、ロック面６７ｅとが設けられる。収納部６７ｃは、油圧ピストン６１の解放方向への移動を許容するときにボール６８を収納する。テーパー面６７ｄ及びロック面６７ｅは、収納部６７ｃに連続して形成され、ボール保持ピストン６７がフォワードクラッチ５に向かう方向にストロークすると、テーパー面６７ｄがボール６８を外側に押し出し、ロック面６７ｅが押し出されたボール６８をその位置にロックする。
【００４１】
ボール６８は、仕切り円筒壁部５１ｂに開口したボール穴５１ｃに設けられる。ボール６８は、ＯＮ圧またはＯＦＦ圧の作用による油圧ピストン６１及びボール保持ピストン６７の軸方向移動に伴ってこれらピストン６１、６７のテーパー面６１ｅ、６７ｄから力を受け、ロック位置とロック解除位置との間を径方向に移動する。
【００４２】
以上説明した構成によれば、ＯＮ圧ピストン室６２にＯＮ圧を作用させると、油圧ピストン６１がフォワードクラッチ５に近づく締結方向に移動し、フォワードクラッチ５がダイヤフラムスプリング６５による締結力により締結状態となる。油圧ピストン６１が締結方向に移動すると、回転による遠心力と油圧によってボール６８が外径方向に移動し、収納部６１ｄにボール６８が収納される。そして、ボール保持ピストン６７へのＯＮ圧作用に伴ってボール保持ピストン６７が軸方向（フォワードクラッチ５に向かう方向）に移動し、収納部６７ｃに保持されるボール６８を、ロック面６７ｅにより保持する。
【００４３】
これによりロック機構ＢＬがロック状態となって油圧ピストン６１の解放方向の移動が規制され、ＯＮ圧をドレーンしてもフォワードクラッチ５の締結状態が維持される。ＯＮ圧ピストン室６２へのＯＮ圧の供給は締結動作中のみであり、フォワードクラッチ５の締結状態を維持するためのＯＮ圧の供給は不要である。
【００４４】
また、ＯＦＦ圧ピストン室６３にＯＦＦ圧を作用させると、ボール保持ピストン６７がロック面６７ｅによるボール６８の保持位置から保持解除位置まで、軸方向（フォワードクラッチ５から離れる方向）に移動する。ＯＦＦ圧による力とダイヤフラムスプリング６５による締結力の反力を合わせた力が油圧ピストン６１に作用し、油圧ピストン６１がリターン方向にストロークすると共にボール６８をロック解除方向に押し返す。ボール６８がロック解除位置まで移動すると、ロック機構ＢＬが解除状態となる。
【００４５】
フォワードクラッチ５を解放するときＯＮ圧はゼロの状態なので、ＯＦＦ圧をドレーンしてもボール６８をボール保持ピストン６７の収納部６７ｃに収納した状態が維持される。ＯＦＦ圧ピストン室６３へのＯＦＦ圧の供給は解放動作中のみであり、フォワードクラッチ５の解放状態を維持するためのＯＦＦ圧の供給は不要である。
【００４６】
このように構成された自動変速機を備える車両において、次に、アイドルストップ制御について説明する。
【００４７】
走行モード（例えばＤレンジ）のまま車両を停車させたとき、変速機３より後段は回転停止状態であるので、エンジン１のアイドル回転はトルクコンバータ２によって遮断される。トルクコンバータ２は作動油が充填されているので、作動油がフリクションとなり回転差が熱として消費される。このときのエネルギ消費を軽減するために、変速機３のフォワードクラッチ５を解放して、エンジン１側と変速機３より後段側とで回転を完全に遮断して、回転によるフリクションを軽減して燃費効率を向上するいわゆる停車時Ｎ制御が一般に行われている。
【００４８】
また一方で、停車中にエンジン１の駆動を停止するいわゆるアイドルストップ制御が一般に行われている。エンジン１をアイドルストップすることにより燃料の消費量が削減されるので、燃費効率が向上する。
【００４９】
エンジンコントローラ１２は、車両が所定のアイドルストップ条件を満たした場合に、エンジン１への燃料の供給を停止して、エンジン１を停止させる。所定のアイドルストップ条件とは、例えば、車速が略０ｋｍ／ｈであり、ブレーキペダルが踏み込まれた状態であり、アクセル開度ＡＰＯが０である場合等である。
【００５０】
ここで、セレクトレバー１１が走行モード（例えばＤレンジ）でフォワードクラッチ５が締結状態のまま車両が停止し、アイドルストップ制御によってエンジン１が停止した場合は、エンジンの停止に伴い油圧ポンプ８が駆動されなくなる。油圧制御回路７に油圧ポンプ８からの油圧が供給されなくなると、変速機３に油圧を供給することができなくなる。
【００５１】
特に本実施形態のフォワードクラッチ５、はロック機構ＢＬを有しているため、フォワードクラッチ５がロック状態のままエンジン１の駆動が停止した場合は、ロック機構ＢＬをアンロック状態にするためのＯＦＦ圧を供給することができないため停車時Ｎ制御が行えない。さらに、フォワードクラッチ５が締結状態でエンジン１を再始動した場合には、フォワードクラッチ５を介してエンジンの駆動力が駆動輪へと伝達され、車両にショックが生じたり、意図せず車両が前進する可能性がある。
【００５２】
そこで、本発明の実施形態では、次のように制御することによって、アイドルストップ制御のときにフォワードクラッチ５が締結状態とならないように制御する。
【００５３】
図３は、本発明の実施形態の変速機コントローラ９が実行するアイドルストップ制御のフローチャートである。
【００５４】
図３に示すフローチャートは、変速機コントローラ９において所定の周期（例えば１０ｍｓ）で実行される。
【００５５】
変速機コントローラ９は、ステップＳ１０において、エンジンコントローラ１２からアイドルストップの実行に先立ってこれを通知する信号（アイドルストップ信号）を受信したか否かを判定する。アイドルストップ信号を受信していなければ本フローチャートによる処理を終了して、他の処理に戻る。
【００５６】
アイドルストップ信号を受信したと判定した場合は、ステップＳ２０に移行して、変速機コントローラ９は、フォワードクラッチ５のクラッチ動作パック６のＯＦＦ圧ピストン室６３に、ＯＦＦ圧の供給を開始する。
【００５７】
このとき、エンジンコントローラ１２は、アイドルストップ信号を送信してから変速機コントローラ９からアイドルストップの実行を許可する信号を受信するまでは、アイドルストップを実行しない。すなわち、ステップＳ２０の時点ではエンジン１は回転駆動しており、油圧ポンプ８が駆動されて油圧制御回路７に油圧が供給されているので、油圧制御回路７はＯＦＦ圧を供給することができる。
【００５８】
次に、ステップＳ３０において、変速機コントローラ９は、ＯＦＦ圧を供給することによってロック機構ＢＬがアンロック状態となったか否かを判定する。ロック機構ＢＬがアンロック状態となったか否かは、図４で後述するように、油圧制御回路７がＯＦＦ圧ピストン室６３に供給する実油圧の変化により判定する。
【００５９】
ロック機構ＢＬが解除状態となっていない場合はステップＳ３０に戻り、処理を繰り返す。
【００６０】
ロック機構ＢＬが解除状態となったと判定した場合は、ステップＳ４０に移行し、変速機コントローラ９は、エンジンコントローラ１２に、アイドルストップの実行を許可する信号（ＡＣＫ信号）を送信する。エンジンコントローラ１２は、変速機コントローラ９からＡＣＫ信号を受け取ったことをもって、エンジン１の運転を停止させる。その後、本フローチャートによる処理を終了して、他の処理に戻る。
【００６１】
以上のように、図３に示すフローチャートによって、エンジン１のアイドルストップ制御が行われるとき、エンジン１の駆動の停止に先立って、フォワードクラッチ５を確実に解放状態へと制御することができる。
【００６２】
図４は、本発明の実施形態のアイドルストップ制御のタイムチャートを示す。
【００６３】
図４において、上段から、アイドルストップ信号、アイドルストップ許可信号、エンジン１の回転速度Ｎｅ、ＯＦＦ圧ピストン室６３の実油圧、が、それぞれ横軸を時間としたタイムチャートとして示されている。
【００６４】
エンジンコントローラ１２は、アイドルストップ条件が成立したと判断したとき、アイドルストップ信号を変速機コントローラ９に送信する（タイミングｔ１）。
【００６５】
変速機コントローラ９は、アイドルストップ信号を受信すると、フォワードクラッチ５のＯＦＦ圧ピストン室６３に、ＯＦＦ圧の供給を開始する。
【００６６】
ＯＦＦ圧の供給が開始されると、ＯＦＦ圧ピストン室６３の実油圧が徐々に上昇する。ＯＦＦ圧ピストン室６３の油圧がある程度まで上昇すると、ボール保持ピストン６７が保持位置から保持解除位置まで、軸方向に移動する。
【００６７】
このとき、ボール保持ピストン６７の移動によってＯＦＦ圧ピストン室６３の容積が拡大する。これによりＯＦＦ圧ピストン室６３の実油圧が一旦低下する。そして、ボール保持ピストン６７の移動が停止すると、ＯＦＦ圧ピストン室６３の容積変化が起こらなくなるので、ＯＦＦ圧ピストン室６３の油圧が再び上昇する。
【００６８】
すなわち、ボール保持ピストン６７が保持解除位置まで移動したことを、ＯＦＦ圧ピストン室６３の実油圧の変化によって検出することができる。
【００６９】
図４において、タイミングｔ２で、ＯＦＦ圧ピストン室６３の実油圧が、低下傾向から上昇傾向へと変化している。これは、ボール保持ピストン６７が保持解除位置まで移動した後移動が停止したことを示すものであり、ロック機構ＢＬが解除されたことを示す。
【００７０】
従って、変速機コントローラ９は、ＯＦＦ圧ピストン室６３の実油圧が低下傾向から上昇傾向へと変化した時をもって、ロック機構ＢＬがアンロック状態となったと判定する。
【００７１】
変速機コントローラ９は、ロック機構ＢＬはアンロック状態となったと判定すると、エンジンコントローラ１２にアイドルストップの許可信号を送信する。エンジンコントローラ１２は、アイドルストップの許可信号を受けて、エンジン１のアイドルストップを実行する（タイミングｔ３）。
【００７２】
エンジン１のアイドルストップが実行された場合、エンジン１の回転速度Ｎｅが徐々に低下し、最終的にエンジン１の回転速度Ｎｅはゼロとなる（タイミングｔ４）。このとき、エンジン１により駆動される油圧ポンプ８に基づいて供給されるＯＦＦ圧は、残圧により回転速度Ｎｅの低下より遅れて徐々に低下する。フォワードクラッチ５のロック機構ＢＬは既にアンロック状態となっているので、ＯＦＦ圧が低下してもフォワードクラッチ５の解放状態は維持される。この後、エンジン１が再始動した場合にも、フォワードクラッチ５は解放状態であるので、エンジン１の回転を変速機３よりも後段に伝達することがない。従って、車両にショックが生じたり、意図せず車両が前進することを防止できる。
【００７３】
以上のように構成した本発明の実施形態では、ＯＮ圧を供給することにより締結状態になると共にロック機構ＢＬをロック状態とし、ＯＮ圧を抜くことによってもロック状態を維持し、ＯＦＦ圧を供給することにより解放状態になると共にロック機構ＢＬをアンロック状態とし、ＯＦＦ圧を抜くことによってもアンロック状態を維持することが可能なフォワードクラッチ５を備える変速機３において、エンジンコントローラ１２（アイドルストップ制御部）が、エンジン１の駆動の停止を通知したときに、変速機コントローラ９（制御装置）は、ＯＦＦ圧ピストン室６３にＯＦＦ圧の供給を開始し、その後、ロック機構ＢＬがアンロック状態となったときに、エンジンコントローラ１２にエンジン１の停止を許可するように構成した。
【００７４】
このような構成によって、走行モードでフォワードクラッチ５が締結状態で車両が停車したときにエンジン１のアイドルストップの実行が通知された場合にも、エンジン１の駆動の停止に先立ってフォワードクラッチ５をロック状態からアンロック状態とすることができる。これにより、エンジン１の停止により油圧が供給できずフォワードクラッチ５が解放状態に制御できなくなることを防止できる。従って、エンジン１が再始動した場合にもエンジン１の回転を変速機３よりも後段に伝達することがないので、車両にショックが生じたり、意図せず車両が前進することを防止することができる。
【００７５】
また、変速機コントローラ９は、ＯＦＦ圧ピストン室６３の実油圧の変化に基づいて、より詳しくは実油圧が低下傾向から上昇傾向へと変化した時をもって、ロック機構ＢＬがアンロック状態となったことを検出するので、油圧ポンプ８による油圧の供給が停止する前に、確実にフォワードクラッチ５を解放状態とすることができる。
【００７６】
以上、本発明の実施形態について説明したが、上記実施形態は本発明の適用例の一つを示したものに過ぎず、本発明の技術的範囲を上記実施形態の具体的構成に限定する趣旨ではない。
【００７７】
本発明の実施形態では、駆動力源として内燃機関としてのエンジン１を備えた例を説明したがこれに限られず、エンジンと電動機とを駆動力源として備えるハイブリッド車両においても同様に適用することができる。
【００７８】
また、本発明の実施形態では、エンジン１の制御と変速機３の制御をそれぞれ異なるコントローラ（エンジンコントローラ１２、変速機コントローラ９）で行う例を説明したが、これに限られない。エンジン１及び変速機３を統合的に制御する制御装置によって上記の制御を行うように構成してもよい。
【００７９】
本願は、２０１２年９月２６日に日本国特許庁に出願された特願２０１２−２１２５４９に基づく優先権を主張する。これらの出願のすべての内容は参照により本明細書に組み込まれる。
【図１】
2014050802.tif 000003
【図２】
2014050802.tif 000004
【図３】
2014050802.tif 000005
【図４】
2014050802.tif 000006
【国際調査報告】
2014050802.tif 000007
2014050802.tif 000008
2014050802.tif 000009
2014050802.tif 000010